(57)【要約】【課題】バラスト水や原海水を有効利用できる水処理システムを提供する。【解決手段】バラスト水及び原海水のうち少なくとも一方を濾過する濾過手段５０と、濾過手段５０の下流側に設置され、バラスト水及び原海水のうち少なくとも一方を淡水化する淡水化手段６０と、を含む複数種類の水処理手段と、バラスト水を供給する船舶Ａ，Ｂ，Ｃのバラスト水流出口に一端が接続され、当該バラスト水流出口から流出するバラスト水が、前記水処理手段のうち少なくとも一つを通流するように他端が接続されるバラスト水取水配管ａ１，ｂ１，ｃ１と、を備える。【選択図】図１
2014008469.tif 000002
【特許請求の範囲】
【請求項１】
バラスト水及び原海水のうち少なくとも一方を濾過する濾過手段と、
前記濾過手段の下流側に設置され、バラスト水及び原海水のうち少なくとも一方を淡水化する淡水化手段と、
を含む複数種類の水処理手段と、
バラスト水を供給する移動体のバラスト水流出口に一端が接続され、当該バラスト水流出口から流出するバラスト水が、前記水処理手段のうち少なくとも一つを通流するように他端が接続されるバラスト水取水配管と、を備えること
を特徴とする水処理システム。
【請求項２】
前記バラスト水取水配管を介して流入するバラスト水が、当該バラスト水の水質に応じて、一つ又は複数種類の前記水処理手段を順次通流するように配管経路を切り替える切替手段を備え、
前記バラスト水取水配管の前記他端は、前記切替手段よりも上流側の配管に接続されること
を特徴とする請求項１に記載の水処理システム。
【請求項３】
前記移動体に凝集磁気分離式のバラスト水処理装置が搭載される場合、
前記切替手段は、前記バラスト水取水配管を介して流入するバラスト水が、少なくとも前記淡水化手段を通流するように配管経路を切り替えること
を特徴とする請求項２に記載の水処理システム。
【請求項４】
前記バラスト水取水配管から流入するバラスト水に含まれる磁性フロックを分離するフロック分離手段を備え、
前記移動体に凝集磁気分離式のバラスト水処理装置が搭載される場合、
前記切替手段は、前記バラスト水取水配管を介して流入するバラスト水が、少なくとも前記フロック分離手段と、前記淡水化手段と、を順次通流するように配管経路を切り替えること
を特徴とする請求項３に記載の水処理システム。
【請求項５】
バラスト水に含まれる薬品を中和する薬品反応手段を備え、
前記移動体に薬品添加式のバラスト水処理装置が搭載される場合、
前記切替手段は、前記バラスト水取水配管を介して流入するバラスト水が、少なくとも前記薬品反応手段と、前記濾過手段と、前記淡水化手段と、を順次通流するように配管経路を切り替えること
を特徴とする請求項２から請求項４のいずれか一項に記載の水処理システム。
【請求項６】
原海水を取水する海水取水手段と、
前記海水取水手段に接続され、当該海水取水手段から供給される原海水が通流する海水取水配管と、を備え、
前記海水取水配管から流入する原海水が、少なくとも前記濾過手段と、前記淡水化手段と、を順次通流するように配管が接続されること
を特徴とする請求項１から請求項５のいずれか一項に記載の水処理システム。
【請求項７】
処理対象となるバラスト水の水質及び体積に基づいて、当該バラスト水の処理費用を算出する処理費用算出手段を備えること
を特徴とする請求項１から請求項６のいずれか一項に記載の水処理システム。
【発明の詳細な説明】
【技術分野】
【０００１】
本発明は、水処理システムに関する。
【背景技術】
【０００２】
タンカや貨物船などの船舶には、運航の安全上、空船時にバラスト水（海水又は淡水）が積載される。すなわち、船舶の左右両側付近にバラストタンクが搭載され、荷揚げ港においてポンプでバラスト水を吸い込んでバラストタンクに積載し、荷積み港において積荷の進行に応じてバラスト水を排出することで、船体の安定性を確保している。
【０００３】
ところで、バラスト水は微生物類を多量に含んでいるため、荷積み港でバラスト水をそのまま海に排出すると、前記した微生物類がバラスト水とともに海に流入する。そうすると、それまで異なる地域に生息していた微生物類が荷積み港付近で繁殖することになる。
このようなバラスト水の排出による生態環境への影響が懸念され、国際海事機関（International Maritime Organization：ＩＭＯ）においてバラスト水に含まれる微生物類の管理に関する条約が批准され、バラスト水の排水時に微生物類を除去又は死滅させることが求められている。
【０００４】
例えば、バラスト水の微生物類を除去又は死滅させる技術として、以下に示すものが開示されている。
すなわち、特許文献１には、原水を分離膜に通すことにより原水中の水生生物を濃縮分離し、これによって分離された濃縮液を殺菌処理する船舶用バラスト水の製造方法について記載されている。
また、特許文献２には、逆洗浄時に膜モジュールから排出される温排水から、熱交換器によって余熱エネルギを回収し、回収した余熱エネルギを膜モジュールの濾過膜に付与して予熱する膜濾過システムについて記載されている。
【先行技術文献】
【特許文献】
【０００５】
【特許文献１】特開２００６−７２９号公報
【特許文献２】特開２０１１−５６３４０号公報
【発明の概要】
【発明が解決しようとする課題】
【０００６】
将来、世界的に水の需要が急増することが予想されるため、水の再利用・有効利用が求められている。つまり、大量のバラスト水や原海水を処理し、荷積み港近辺の工業地帯、農業地帯、都市などに供給することでバラスト水などを有効利用する技術が求められている。
しかしながら、特許文献１，２には、バラスト水などを有効利用する技術について記載されていない。
【０００７】
そこで、本発明は、バラスト水や原海水を有効利用できる水処理システムを提供することを課題とする。
【課題を解決するための手段】
【０００８】
前記課題を解決するために、本発明は、バラスト水及び原海水のうち少なくとも一方を濾過する濾過手段と、前記濾過手段の下流側に設置され、バラスト水及び原海水のうち少なくとも一方を淡水化する淡水化手段と、を含む複数種類の水処理手段と、バラスト水を供給する移動体のバラスト水流出口に一端が接続され、当該バラスト水流出口から流出するバラスト水が、前記水処理手段のうち少なくとも一つを通流するように他端が接続されるバラスト水取水配管と、を備えることを特徴とする。
【発明の効果】
【０００９】
本発明により、バラスト水や原海水を有効利用できる水処理システムを提供できる。
【図面の簡単な説明】
【００１０】
【図１】本発明の第１実施形態に係る水処理システムの構成図である。
【図２】本発明の第２実施形態に係る水処理システムの構成図である。
【図３】船舶を運営する海運会社と、水処理システムを運営する総合水事業会社と、工業設備等との間でなされる金銭取引の説明図である。
【図４】バラスト水の処理項目及び処理金額を示す説明図である。
【発明を実施するための形態】
【００１１】
本発明の実施形態について、適宜図面を参照しながら詳細に説明する。なお、各図において共通する部分には同一の符号を付し、重複した説明を省略する。
以下の説明において「船舶」とは、バラスト水を積載するバラストタンクを有し、コンテナ船、ばら積み船、タンカ、及び専用船（自動車などの運搬用）を含むものとする。
また、「微生物類」とは、バラスト水又は原海水に含まれる微生物類であり、バクテリア、プランクトン、魚類などの卵や幼生を含むものとする。
また、「原海水」とは、水処理システムの近海から直接的に取水される海水を意味するものとする。
【００１２】
≪第１実施形態≫
水処理システム１００の構成について説明する前に、その前提を説明する。
水処理システム１００は、船舶（移動体）から排出されるバラスト水の処理を行い、需要者に供給するためのシステムである。
バラスト水の処理過程は、バラスト水から微生物類を除去する過程と、微生物類が除去されたバラスト水を淡水化する過程と、に大別される。なお、前処理として、バラスト水に含まれる所定の薬品成分の中和を行う場合もある。
【００１３】
また、船舶を運営する海運会社はさまざまであり、荷積み港の船舶には、バラスト水に含まれる微生物類を除去又は死滅させる装置を搭載しているものもある。
例えば、図１に示す船舶Ａは、バラスト水処理装置Ａ２を搭載し、荷積み港においてバラストタンクＡ１内のバラスト水に対し、凝集磁気分離処理を行う。
【００１４】
凝集磁気分離処理では、バラスト水に磁性粉、凝集剤、及び高分子凝集剤を添加した上で高速攪拌処理及び緩速攪拌処理を行って磁性フロックを成長させる。なお、当該磁性フロックには、凝集剤によって取り込まれた微生物類が含まれている。
そして、永久磁石を有する磁気ドラム（図示せず）によって磁性フロックを吸着捕集することで、バラスト水から磁性フロック（つまり、微生物類）を分離・除去する。
【００１５】
また、図１に示す船舶Ｂは、薬品添加式のバラスト水処理装置Ｂ２を搭載し、荷積み港においてバラストタンクＢ１内のバラスト水に対し、薬品添加処理を行う。
薬品添加処理では、微生物類を死滅させるために、例えば、次亜塩素酸ナトリウム、亜硫酸ナトリウム、オゾン、二酸化塩素、過酢酸、過酸化水素などの薬品を単独で、又は複数組み合わせてバラスト水に添加する。そして、前記薬品が添加されたバラスト水を攪拌することで、微生物類を死滅させる。
なお、このように船舶内で薬品が添加されたバラスト水は、後記する薬品反応槽３０で中和処理される。
【００１６】
また、図１に示す船舶Ｃは、バラスト水処理装置を搭載しておらず、バラストタンクＣ１に原海水が入っている。ちなみに、バラスト水処理装置を船舶内に設置すると、非常にコストがかかる上に、所定の設置スペースを設ける必要がある。したがって、船舶を運営する事業体としては、バラスト水処理装置を搭載せずにバラスト水の処理を所定の事業体（後記する総合水事業会社：図３参照）に委託するほうがコスト削減になる。
【００１７】
また、船舶に搭載されているバラスト水処理装置の種類（搭載されていない場合には、その旨）に関する情報が、予めネットーワークＮを介して端末装置Ｕ１，Ｕ２，・・・から管理装置１０に送信されている。その他、船舶の到着日時やバラスト水の量に関する情報も、予めネットーワークＮを介して端末装置Ｕ１，Ｕ２，・・・から管理装置１０に送信されている。ちなみに、前記端末装置Ｕ１，Ｕ２，・・・とは、例えば船舶を運営する海運会社のコンピュータである。
そして、水処理システム１００は、船舶から排出されるバラスト水の水質に応じて複数段階でバラスト水の処理を行う。
【００１８】
その他、水処理システム１００は、近海から取水した原海水を処理したり、近隣の工業設備から供給される排水を処理したりする。そして、水処理システム１００は、浄化処理及び淡水化処理がなされた水を需要者に供給する。
【００１９】
＜水処理システムの構成＞
図１は、本実施形態に係る水処理システムの構成図である。なお、図１の境界Ｗよりも紙面左側は海であり、紙面右側は陸である。
図１に示すように、水処理システム１００は、管理装置１０と、水質分析装置２０と、バラスト水取水配管ａ１，ｂ１，ｃ１と、薬品反応槽３０と、取水設備４０と、濾過手段５０と、淡水化手段６０と、を備えている。
【００２０】
（１．管理装置）
管理装置１０は、水処理システム１００を統括管理する装置であり、記憶部１１と、インタフェース１２と、制御部１３と、を備えている。
記憶部１１は、データを記憶することができるメモリ、ハードディスクなどで具現される。記憶部１１には、処理の受託対象であるバラスト水に関する情報が格納される。例えば、記憶部１１には、船舶を所有する事業者名、それぞれの船舶の識別記号、船舶にバラスト水の処理装置が搭載されているか否か（搭載されている場合には、その種類）、バラスト水の積載量、契約期間などの情報が格納される。
なお、前記各情報は、ネットーワークＮを介して端末装置Ｕ１，Ｕ２，・・・からバラスト水処理の委託を受ける際に取得される。
【００２１】
インタフェース１２は、ネットーワークＮを介した管理装置１０と端末装置Ｕ１，Ｕ２，・・・との間のデータ伝送を仲介するものである。
制御部１３は、ＣＰＵ（Central Processing Unit）、ＲＯＭ（Read Only Memory）、ＲＡＭ（Random Access Memory）などの電子回路を含んで構成され、ＨＤＤ（Hard Disk Drive）に記憶されたプログラムを読み出してＲＡＭに展開し、ＣＰＵが各種処理を実行するようになっている。また、制御部１３は、バラスト水の濾過処理や淡水化処理に関わる各装置の制御手段（図示せず）と通信可能になっている。
【００２２】
（２．水質分析装置）
水質分析装置２０は、バラスト水の各処理を開始する前に、船舶ごとにバラスト水の水質を分析する装置である。
水質分析装置２０は、所定の分析項目に対応する複数種類のセンサ（図示せず）を備えている。ちなみに、前記分析項目として、塩分濃度、ＳＳ（Suspended Solids）濃度、濁度、全有機炭素量などがある。
なお、水質分析装置２０は、管理装置１０から受信する情報（例えば、バラスト水が原海水であるか否か）に応じて分析項目を設定する。
【００２３】
タンカや貨物船などの船舶が荷揚げ港から出発して荷積み港に到着するまでには、長時間を要する。そうすると、航行中にバラスト水に含まれる微生物が増殖する可能性がある。したがって、本実施形態のように、バラスト水を排出する荷積み港において水質分析を行うことが好ましい。これによって、処理対象となるバラスト水の水質を正確に分析できる。
【００２４】
水質分析装置２０には、分析に必要となる所定量のバラスト水（船舶Ａ，Ｂの場合は船内で処理されたバラスト水、船舶Ｃの場合はバラストタンクＣ１内のバラスト水）がサンプルとして送り込まれる。なお、所定量のサンプルを、当該サンプルとなるバラスト水を積載した船舶の識別記号と対応付けて取得できれば、サンプルの取得方法は限定されない。
例えば、一端が船舶側に接続されるバラスト水取水配管ａ１，ｂ１，ｃ１（又は、バラスト水取水配管から分岐する配管）を介して、ポンプ（図示せず）で吸引することによりサンプルを取得してもよい。
また、船舶に搭載されているバラスト水排出ポンプ（図示せず）を介して、バラスト水のサンプルを取得してもよい。
【００２５】
水質分析装置２０は、バラスト水の水質分析結果を、当該バラスト水を搭載した船舶の識別記号と対応付けて管理装置１０に出力する。管理装置１０の制御部１３は、バラスト水の水質分析結果を受信すると、前記識別記号に対応付けて当該分析結果を記憶部１１に格納する。
【００２６】
（３．バラスト水取水配管）
バラスト水取水配管ａ１は、船舶Ａに設けられたバラスト水処理装置Ａ２からバラスト水を取水するための配管である。バラスト水取水配管ａ１は、バラスト水処理装置Ａ２のバラスト水流出口に一端が接続され、当該バラスト水流出口から流出するバラスト水が、濾過手段５０及び淡水化手段６０のうち少なくとも一つを通流するように他端が接続される（接続箇所ａ２参照）。
【００２７】
バラスト水取水配管ｂ１は、船舶Ｂに設けられたバラスト水処理装置Ｂ２からバラスト水を取水するための配管であり、接続箇所ｂ２において配管ｂ３に接続されている。
また、バラスト水取水配管ｃ１は、船舶Ｃに設けられたバラストタンクＣ１からバラスト水を取水するための配管であり、接続箇所ｃ２において配管ｃ３に接続されている。
【００２８】
（４．薬品反応槽）
薬品反応槽３０（薬品反応手段）は、薬品添加式のバラスト水処理装置が船舶に搭載されている場合、添加された薬品を中和するものである。
例えば、前記薬品として用いられる次亜塩素酸ナトリウムは、図１に示す逆浸透膜６２を構成する樹脂を溶解させ、逆浸透膜６２の寿命を短くする虞がある。したがって、このような薬品がバラスト水に含まれている場合、前処理として薬品を中和することが好ましい。
【００２９】
薬品反応槽３０は、例えば、前記した水質分析装置２０において検出された塩素量の略３倍当量の中和剤を含む溶液にバラスト水を加えて攪拌し、中和する。当該処理によって、バラスト水に含まれる次亜塩素酸などを確実に中和できる。
【００３０】
なお、配管ｂ３の一端はバラスト水取水配管ｂ１に接続され（接続箇所ｂ２参照）、他端は薬品反応槽３０の流入口に接続されている。これによって、バラスト水処理装置Ｂ２で薬品添加されたバラスト水が、薬品反応槽３０に供給される。
また、配管ｂ４の一端は、薬品反応槽３０の流出口に接続され、他端は海水取水配管ｄ１に接続されている。これによって、薬品反応槽３０で中和されたバラスト水が、配管ｂ４及び海水取水配管ｄ１を介して取水タンク４１に供給される。
【００３１】
（５．取水設備）
取水設備４０（海水取水手段）は、水処理システム１００の近隣海水を取水する設備である。取水設備４０は、制御手段（図示せず）からの指令に応じて駆動するポンプ（図示せず）を備えている。
前記制御手段は、管理装置１０と情報をやり取りしつつ、ポンプの駆動を制御する。ちなみに、図１に示す濾過手段５０や淡水化手段６０が備える制御手段（図示せず）も、管理装置１０と通信可能となっている。
前記ポンプが駆動すると、海水取水配管ｄ１を介して取水タンク４１に海水が流入し、一時的に貯留される。
【００３２】
なお、配管ｃ３の一端はバラスト水取水配管ｃ１に接続され（接続箇所ｃ２参照）、他端は海水取水配管ｄ１に接続されている。これによって、バラストタンクＣ１内のバラスト水が、バラスト水取水配管ｃ１及び配管ｃ３，ｄ１を介して、そのまま取水タンク４１に供給される。
【００３３】
（６．濾過手段）
濾過手段５０は、砂濾過装置５１と、限外濾過装置５２と、を備えている。
砂濾過装置５１は、バラスト水に対して砂濾過処理を行うものであり、配管ｄ２、ポンプＰ１、及び配管ｄ３を介して取水タンク４１に接続されている。砂濾過装置５１は、ポンプＰ１の駆動によって流入するバラスト水が重力で下降する際に、濾材（硅砂や支持砂利など）を通過させることで、バラスト水を濾過するものである。これによって、バラスト水に含まれる懸濁物質が除去される。
【００３４】
限外濾過装置５２は、砂濾過装置５１では濾過されなかった微小な不純物をウルトラフィルタ（Ultra Filter：ＵＦ膜）を用いて濾し取るものであり、配管ｄ４、ポンプＰ２、及び配管ｄ５を介して砂濾過装置５１の下流側に設置されている。
限外濾過装置５２は、配管ｄ５から流入するバラスト（微生物類、コロイド物質、及び高分子物質を含む）を加圧し、ウルトラフィルタを通過させる。これによって、前記バラスト水から微生物類を含む不純物が略完全に除去される。したがって、限外濾過装置５２から流出したバラスト水は、不純物をほとんど含まない塩水となっている。
【００３５】
そして、限外濾過装置５２によって濾過されたバラスト水は、配管ｄ６を介してＲＯ（Reverse Osmosis）原水タンク６１に流入する。
なお、配管ａ３は、一端がバラスト水取水配管ａ１に接続され（接続箇所ａ２参照）、他端が配管ｄ６に接続されている。これによって、バラスト水処理装置Ａ２からのバラスト水が、バラスト水取水配管ａ１及び配管ａ３，ｄ６を介してＲＯ原水タンク６１に供給される。
【００３６】
（７．淡水化手段）
淡水化手段６０は、ＲＯ原水タンク６１と、高圧ポンプＰ３と、逆浸透膜６２と、透過水タンク６３と、濃縮水タンク６４と、を備え、濾過手段５０の下流側に設置されている。
ＲＯ原水タンク６１は、配管ｄ６を介して流入するバラスト水（塩水）を一時的に貯留するタンクである。
高圧ポンプＰ３は、ＲＯ原水タンク６１から配管ｄ７を介して流入するバラスト水を高圧で圧送し、配管ｄ８を介して逆浸透膜６２の一次側領域に流入させるポンプである。
逆浸透膜６２（Reverse Osmosis Membrane：ＲＯ膜）は、水を透過させ、イオンや塩類など水以外の不純物を透過させない性質を持っている。そして、逆浸透膜６２は、一定の高圧に耐えうる中空の筐体の内部を２つの領域に仕切るように配設されている。
【００３７】
なお、前記筐体の一方の領域（一次側領域）には一次処理水流入口及び濃縮水流出口が形成され、他方の領域（二次側領域）には二次処理水流出口が形成されている。
そして、高圧ポンプＰ３から圧送されるバラスト水が、配管ｄ８を介して前記筐体の一次側領域に流入すると、二次側領域には淡水化された透過水が流入する。そして、前記筐体の一次側領域には塩分濃度が非常に高い濃縮水が残る。
【００３８】
透過水タンク６３は、配管ｄ９を介して前記筐体の二次側領域から流出した透過水を一時的に貯留するタンクである。そして、透過水タンク６３内の透過水は、配管ｄ１０を介して需要者に供給される。ちなみに、当該需要者とは、例えば、近隣の工業地域、農業地域、都市である。
濃縮水タンク６４は、配管ｄ１１を介して前記筐体の一次側領域から流出した濃縮水（塩分が非常に高い水）を一時的に貯留するタンクである。そして、濃縮水タンク６４内の濃縮水は、海水取水配管ｄ１２を介して排水設備７０に送られる。
そして、排水設備７０によって、濃縮水が海に排水される。なお、当該濃縮水は、微生物類などの不純物を含んでいない。
【００３９】
＜水処理システムの動作＞
以下では、船舶が、凝集磁気分離式のバラスト水処理装置を備える場合と（図１の船舶Ａ）、薬品添加式のバラスト水処理装置を備える場合と（図１の船舶Ｂ）、バラスト水処理装置を備えない場合（図１の船舶Ｃ）とについて、それぞれバラスト水の処理過程を順次説明する。なお、以下の説明において、各装置が備えるポンプや弁などの動作は、図示しない「制御手段」によって制御されるものとする。
【００４０】
（１．船舶Ａ：凝集磁気分離式）
船舶Ａには、凝集磁気分離式のバラスト水処理装置Ａ２が搭載されている。
なお、船舶Ａのバラスト水に関する情報（バラスト水処理装置の種類、バラスト水の量、到着日時など）が、予めネットーワークＮを介して管理装置１０に送信されている。管理装置１０の記憶部１１には、船舶Ａの識別記号に対応付けて前記情報が格納されている。
そして、制御部１３は、前記情報を記憶部１１から読み出し、船舶Ａの識別記号に対応付けて水質分析装置２０に出力する。
【００４１】
管理装置１０から前記情報を受信した水質分析装置２０は、船舶Ａのバラスト水のサンプルについて水質分析処理（塩分濃度、濁度、全有機炭素量など）を行う。
そして、水質分析装置２０は、サンプルの水質分析結果を、船舶Ａの識別記号と対応付けて管理装置１０に出力する。管理装置１０は、水質分析装置２０から入力された情報を記憶部１１に格納するとともに、当該情報に基づいてバラスト水を処理する際の処理経路を決定する。
なお、バラスト水の水質分析結果と処理経路との対応関係は、管理装置１０の記憶部１１に予め格納されている。
【００４２】
例えば、濁度が所定値以下である場合、制御部１３は淡水化処理のみ必要であると判定する。この場合、制御部１３は、一端がバラスト水処理装置Ａ２に接続されるバラスト水取水配管ａ１の他端を、接続箇所ａ２に接続させる指令信号を出力する。
なお、バラスト水取水配管ａ１の接続は、前記指令信号に対応して機械的に行ってもよいし、作業員が手作業で行ってもよい。
そして、制御手段（図示せず）が、バラスト水処理装置Ａ２の流出口に設けられたバルブ（図示せず）や、接続箇所ａ２に設けられたバルブ（図示せず）を開状態に切り替えることで、船舶Ａからのバラスト水（この場合、清浄な塩水）が、バラスト水取水配管ａ１及び配管ａ３，ｄ６を介してＲＯ原水タンク６１に流入する。
【００４３】
なお、船舶Ａから供給されるバラスト水は、既に凝集磁気分離処理がなされているため、微生物類が略完全に除去されている。船舶Ａ内のバラスト水を、濾過手段５０を介さずに淡水化手段６０に流入させることで、無駄な処理を省いて効率を上げるとともに、処理コストを削減できる。
【００４４】
さらに、制御手段（図示せず）は、配管ｄ７を介してＲＯ原水タンク６１から流入するバラスト水を、高圧ポンプＰ３によって加圧する。これによって、塩分濃度が略ゼロの透過水が逆浸透膜６２に二次側領域に流入し、塩分濃度の高い非常に高い濃縮水が逆浸透膜６２の一次側領域に残される。
なお、一次側領域の濃縮水は、濃縮水タンク６４に一時的に貯留され、配管ｄ１２を介して排水設備７０に送られる。当該濃縮水は塩分濃度が高いものの、微生物類などをいっさい含んでいない。したがって、濃縮水の排出により近隣海域の生態環境に影響を及ぼすことはない。
一方、二次側領域の透過水は、透過水タンク６３に一時的に貯留され、配管ｄ１０を介して需要者に供給される。
【００４５】
（２．船舶Ｂ：薬品添加式）
船舶Ｂには、薬品添加式のバラスト水処理装置Ｂ２が搭載されている。制御部１３は、バラスト水に関する情報を記憶部１１から読み出し、船舶Ｂの識別記号と対応付けて水質分析装置２０に出力する。
管理装置１０から前記情報を受信した水質分析装置２０は、船舶Ｂのバラスト水のサンプルに関する水質分析処理（塩分濃度、薬品成分など）を実行する。そして、制御部１３は、水質分析装置２０からの分析結果に応じてバラスト水の処理経路を決定する。
例えば、バラスト水に含まれる薬品成分が所定値以上であった場合、制御部１３は、バラスト水取水配管ｂ１の他端を接続箇所ｂ２に接続させる指令信号を出力する。
【００４６】
そして、バラスト水取水配管ｂ１を配管ｂ３に接続させ（接続箇所ｂ２参照）、バラスト水を船舶Ｂから薬品反応槽３０に流入させる。これによって、船舶Ｂから供給されるバラスト水が、薬品反応槽３０と、濾過手段５０と、淡水化手段６０とによって処理される。
【００４７】
制御手段（図示せず）は、薬品反応槽３０において、前記分析結果に対応する薬品の中和処理を行う。すなわち、制御手段は、配管ｂ３から流入するバラスト水に所定の中和剤を注入して攪拌する。当該中和処理によって、バラスト水に含まれる次亜塩素酸などが中和されるため、下流側に設置されている逆浸透膜６２の損傷（溶解）を防止できる。
なお、薬品反応槽３０から流出するバラスト水には、微生物類の死骸（船舶Ｂ内で添加された薬品による。）が含まれている。
薬品反応層３０において中和処理されたバラスト水は、配管ｂ４，ｄ１を介して取水タンク４１に流入し、一時的に貯留される。
【００４８】
取水タンク４１に貯留されているバラスト水は、ポンプＰ１の駆動によって、配管ｄ２，ｄ３を介して砂濾過装置５１に流入する。そして、砂濾過装置５１においてバラスト水が濾過され、バラスト水に含まれる懸濁物質が除去される。
砂濾過装置５１から流出するバラスト水は、ポンプＰ２の駆動によって、配管ｄ４，ｄ５を介して限外濾過装置５２に流入する。そして、限外濾過装置５２においてバラスト水が限外濾過され、不純物が略完全に除去される。
【００４９】
このようにして不純物が濾過されたバラスト水（塩水）は、配管ｄ６を介してＲＯ原水タンク６１に流入し、一時的に貯留される。なお、ＲＯ原水タンク６１よりも下流側での処理については、前記した船舶Ａのバラスト水処理と同様であるから、説明を省略する。
【００５０】
（３．船舶Ｃ：バラスト水処理装置が設置されていない場合）
船舶ＣのバラストタンクＣ１には、原海水が積載されている。
船舶Ｃのバラスト水に関する情報を管理装置１０から受信した水質分析装置２０は、当該バラスト水の水質分析処理（塩分濃度など）を実行する。そして、制御装置は、水質分析装置２０の分析結果に応じて、バラスト水取水配管ｃ１の他端を接続箇所ｃ２に接続させる指令信号を出力する。
【００５１】
そして、バラスト水取水配管ｃ１を配管ｃ３に接続させ（接続箇所ｃ２参照）、船舶Ｃからのバラスト水を取水タンク４１に流入させる。これによって、船舶Ｃから供給されたバラスト水が、濾過手段５０と、淡水化手段６０とによって処理される。
なお、濾過処理及び淡水化処理については、前記した船舶Ｂの場合と同様であるから、説明を省略する。
【００５２】
（４．その他）
また、制御手段は、取水設備４０のポンプ（図示せず）を駆動して海水を取り込み、海水取水配管ｄ１を介して取水タンク４１に供給する。なお、取水タンク４１よりも下流側で実行される濾過処理及び淡水化処理については、前記した船舶Ｂの場合と同様であるから、説明を省略する。
【００５３】
また、工業排水を処理する場合も、その水質に応じて薬品反応処理、濾過処理、淡水化処理などを実行する。なお、工業排水は、受託前に工業排水処理プラント（図３参照）において、生物処理や化学処理がなされている。このような工業排水の水質は、処理の委託契約時などにネットーワークＮを介して予め取得してもよいし、水質分析装置２０で分析してもよい。ちなみに、工業排水に塩分が含まれていない場合、淡水化処理を行う必要はなく、濾過処理のみを行うことが好ましい。
水処理システム１００は、このようにバラスト水の他、原海水や工業排水も処理して淡水化し、需要者に供給する。
【００５４】
＜効果＞
本実施形態に係る水処理システム１００によれば、船舶にバラスト水処理装置が搭載されているか否か（搭載されている場合は、その種類）に応じて、バラスト水を適切に処理し、清浄な水を需要者に供給できる。
例えば、船舶に凝集磁気分離方式のバラスト水処理装置が搭載されている場合、淡水化処理のみを行う（つまり、濾過処理などを行わない）ことで、効率的かつ安価にバラスト水の処理を実行できる。
【００５５】
また、バラスト水に含まれる微生物類は、航行の間に増殖し得る。したがって、荷積み港でのバラスト水の水質が、出航時のバラスト水の水質から変化する可能性がある。
本実施形態では、荷積み港でバラスト水のサンプルを取得し、当該サンプルを用いた水質分析処理を行う。したがって、処理開始の直前におけるバラスト水の水質を正確に把握できる。
また、本実施形態では、船舶に搭載されているバラスト水処理装置の種類などに応じて、水質分析を行う際の分析項目を決定する。したがって、バラスト水の状態ごとに必要かつ十分な分析項目を決定し、バラスト水の水質分析処理を速やかに実行できる。
【００５６】
また、本実施形態では、次亜塩素酸などの薬品を添加するバラスト水処理装置が船舶に搭載されている場合、必要に応じて当該薬品を中和した上で、濾過処理・淡水化処理を実行する。したがって、次亜塩素酸などによって逆浸透膜６２が損傷（溶解）することを防止できる。
また、船舶Ｂにおいて、薬品を添加して微生物類を死滅させても、その死骸がバラスト水中に残留する。本実施形態では、このような場合に砂濾過処理及び限外濾過処理を行うことで、前記死骸を含む不純物を略完全に除去できる。
【００５７】
また、バラスト水処理装置を船舶内に設置すると、コストがかかる上に、所定の設置スペースを設ける必要がある。本実施形態に係る水処理システム１００を利用すれば、バラスト水処理装置を船舶に搭載する必要はないため、船舶側（海運会社側）にとってもコスト負担が軽減される。
また、バラスト水の処理を受託し、その水質に応じた処理を行うことで、清浄な淡水を低コストで生成できる。これによって、特に水不足の地域でも、需要者に対し低価格で淡水を提供できる。
【００５８】
≪第２実施形態≫
図２に示すように、第２実施形態に係る水処理システム２００は、二方弁Ｖ１〜Ｖ５（切替手段）と、沈殿槽８０と、凝集磁気分離装置９０と、動力回収装置６５と、ブースタポンプＰ４と、を備えている点が第１実施形態と異なる。したがって、当該異なる部分について説明し、第１実施形態と重複する部分については説明を省略する。
なお、図２において、閉状態の二方弁を黒塗りで示している。
【００５９】
「切替手段」は、例えば、二方弁Ｖ１〜Ｖ５と、これらを制御する制御手段（図示せず）と、を備えている。二方弁Ｖ１は、配管ａ３を介して接続箇所ａ２に接続されている。また、二方弁Ｖ２は、配管ａ３から分岐し、配管ｂ３に接続される配管に介在している。また、二方弁Ｖ３は、配管ａ３から分岐し、配管ｃ４に接続される配管に介在している。
【００６０】
制御手段（図示せず）は、管理装置１０から入力される指令信号に応じて二方弁Ｖ１，Ｖ２，Ｖ３のいずれか１つを開状態とし、残りの２つを閉状態とする。これによって、接続箇所ａ２を介して流入するバラスト水が、その水質に応じて配管ａ３、配管ｂ３、又は配管ｃ４に選択的に導かれる。なお、図２では、二方弁Ｖ１を開状態とし、二方弁Ｖ２，Ｖ３を閉状態とし、船舶Ａのバラスト水が配管ａ３に流入する状態となっている。
【００６１】
同様に、接続箇所ｂ２を介して流入するバラスト水や、接続箇所ｃ２を介して流入するバラスト水も、その水質に応じて配管ａ３、配管ｂ３、又は配管ｃ４に選択的に導かれるように配管（図示せず）及び二方弁（図示せず）が適宜設置されている。
【００６２】
また、二方弁Ｖ４は、配管ａ４を介して二方弁Ｖ１と接続され、配管ａ５を介して沈殿槽８０の流入口と接続されている。また、二方弁Ｖ５は、二方弁Ｖ４よりも上流側の配管ａ４から分岐する配管ａ６に接続されている。そして、二方弁Ｖ５を介して配管ａ７に流入したバラスト水が、沈殿槽８０をバイパスして配管ａ８に流入するように接続されている。
【００６３】
沈殿槽８０（フロック分離手段）は、凝集磁気分離式のバラスト水処理装置が船舶に搭載されている場合、当該バラスト水から磁性フロックを分離・除去するためのものである。図２に示す例では、沈殿槽８０の流入口が、バラスト水取水配管ａ１及び配管ａ３〜ａ５を介してバラスト水処理装置Ａ２に接続され、流出口は、配管ａ８，ｄ６を介してＲＯ原水タンク６１に接続されている。
【００６４】
例えば、水質分析装置２０で分析した結果、船舶Ａのバラスト水の濁度が所定値以上である場合、制御手段（図示せず）は、次のような制御を行う。
すなわち、制御手段は、二方弁Ｖ１，Ｖ４を開状態、二方弁Ｖ２，Ｖ３，Ｖ５を閉状態として、バラスト水取水配管ａ１から流入するバラスト水を、配管ａ３〜ａ５を介して沈殿槽８０に流入させる（図２参照）。
一方、バラスト水の濁度が所定値（例えば、０．０１ＮＴＵ）未満である場合、制御手段は、二方弁Ｖ１，Ｖ５を開状態、二方弁Ｖ２〜Ｖ４を開状態にする。これによって、バラスト水取水配管ａ１から流入するバラスト水は、沈殿槽８０をバイパスしてＲＯ原水タンク６１に流入する。
【００６５】
動力回収装置６５（Energy Recovery Device：ＥＲＤ）は、濃縮水の残圧を利用し、動力回収装置６５の二次側に流入するバラスト水を圧送する装置である。すなわち、動力回収装置６５の一次側流入口は、配管ｅ１を介して逆浸透膜６２の一次側領域に接続され、一次側流出口は、配管ｅ２を介して濃縮水タンク６４に接続されている。
また、動力回収装置６５の二次側流入口は、配管ｅ３を介してＲＯ原水タンク６１に接続され、二次側流出口は、配管ｅ４を介してブースタポンプＰ４の吸入側に接続されている。
【００６６】
そして、動力回収装置６５の一次側を通流するバラスト水の残圧によって羽根車（図示せず）を回転させ、二次側を通流するバラスト水に動力を供給するようになっている。なお、動力回収装置６５の一次側流出口から流出したバラスト水は、配管ｅ２を介して濃縮水タンク６４に流入する。
【００６７】
ブースタポンプＰ４は、動力回収装置６５の一次側流出口から流出するバラスト水の圧力を調整（昇圧）し、逆浸透膜６２の一次側領域に圧送するポンプである。なお、ブースタポンプＰ４の吐出口は、配管ｅ５，ｄ８を介して逆浸透膜６２の一次側領域に連通している。
このように、逆浸透膜６２の二次側領域での残圧を利用してバラスト水に動力を供給するぶん、高圧ポンプＰ３の駆動がアシストされる。したがって、高圧ポンプＰ３の消費電力を低減できる。
【００６８】
凝集磁気分離装置９０は、バラスト水に磁性粉や凝集剤を添加して攪拌し、成長した磁気フロックを磁性ドラム（図示せず）などで吸着捕集することによって、バラスト水に含まれる微生物類を除去する装置である。
凝集磁気分離装置９０の流入口は、配管ｃ４を介して接続箇所ｃ２に接続されるとともに、海水取水配管ｄ１３を介して取水設備４０に接続されている。また、凝集磁気分離装置９０の流出口は、配管ｃ５，ｄ６を介してＲＯ原水タンク６１に接続されている。
【００６９】
つまり、凝集磁気分離装置９０には、取水設備４０から供給される海水と、バラスト水処理装置を搭載していない船舶Ｃからのバラスト水と、が流入する。凝集磁気分離装置９０は、配管ｃ４又は配管ｄ１３を介して流入するバラスト水などから、前記した方法により微生物類を除去し、配管ｃ５，ｄ６を介してＲＯ原水タンク６１に供給する。
なお、凝集磁気分離装置９０が行う処理については、第１実施形態で説明した船舶Ａが備えるバラスト水処理装置（凝集磁気分離式）の場合と同様であるから、詳細な説明を省略する。
【００７０】
＜効果＞
本実施形態に係る水処理システム２００によれば、バラスト水の水質に応じて切替手段が配管経路を決定し、二方弁Ｖ１〜Ｖ５の開閉を制御する。ここで、船舶からのバラスト水取水配管を接続箇所ａ２，ｂ２，ｃ２のいずれに接続しても、二方弁Ｖ１〜Ｖ５の切り替えにより所定の配管経路を設定し、各処理を実行できる。したがって、第１実施形態よりも簡単かつ効率的にバラスト水の処理を実行できる。
【００７１】
また、本実施形態によれば、船舶に凝集磁気分離式のバラスト水処理装置が搭載されている場合、濁度などの水質分析結果に応じて沈殿処理を行うか否かを決定する。
つまり、沈殿処理が不要な場合は沈殿槽８０をバイパスするため、処理を効率化できる。また、沈殿処理が必要な場合は、バラスト水を沈殿槽８０に流入させることで、清浄な塩水をＲＯ原水タンク６１に供給できる。
【００７２】
また、淡水化手段６０に動力回収装置６５を追加することで、逆浸透膜６２の一次側領域の残圧を動力として回収し、動力回収装置６５の二次側領域を通流するバラスト水をブースタポンプＰ４に向けて圧送できる。これによって、高圧ポンプＰ３の駆動に必要な動力が軽減されるため、省エネを図り、処理コストを削減できる。
また、取水設備４０から供給される海水や、船舶Ｃ（図２参照）から供給されるバラスト水については、凝集磁気分離装置９０を用いた浄化処理を行う。凝集磁気分離装置９０では、微生物類を凝集剤で凝集し、さらに磁性フロックとして成長させて吸着捕集する。したがって、微生物類が略完全に除去された塩水をＲＯ原水タンク６１に供給できる。
【００７３】
≪処理費用の算出方法≫
次に、前記した第１実施形態に係るバラスト水処理装置１００、又は第２実施形態に係るバラスト水処理装置２００を適用し、処理費用を算出する方法について具体的に説明する。
図３は、船舶を運営する海運会社と、水処理システムを運営する総合水事業会社と、工業設備等との間でなされる金銭取引の説明図である。なお、図３のmoney1〜money5から延びる矢印の太さは、バラスト水などの処理金額の多さを模式的に示している。
また、図３に示す船舶Ａ，Ｂ，Ｃは海運会社が運営し、水処理システム２００（又は１００）は総合水事業会社が運営している。そして、総合水事業会社は、その水質に応じてバラスト水を海運業者から買い取ったり、バラスト水の処理を受託して課金したりする。
【００７４】
また、総合水事業会社は、石油プラント、発電プラントなどの各種工場から排水処理を受託して課金し、淡水化処理を終えた水を工業用水として販売する。なお、前記水は、工業設備のほか、農業地域や都市にも供給される。
以下では、バラスト水の処理費用の算出方法に関し、前記した船舶Ａ，Ｂ，Ｃについて順に説明していく。
【００７５】
（１．船舶Ａ：凝集磁気分離式）
図３に示す船舶Ａは、凝集磁気分離を用いた浄化処理装置Ａ２を備え、図２に示す船舶Ａに対応している。前記したように、船舶Ａで行われる凝集磁気分離処理によって、微生物類が除去された状態になっている。したがって、船舶Ａから供給されるバラスト水に関しては、淡水化処理のみ行う。
【００７６】
ちなみに、船舶Ａが積載しているバラスト水が、例えば、日本近海の海水（塩分濃度：約３．５％）であり、船舶Ａの荷積み港が中東アラビア湾（塩分濃度：約４．５〜４．８％）であった場合、バラスト水の塩分濃度は、荷積み港の海水よりも低くなる。
そうすると、例えば、水処理システム２００が中東アラビア湾付近に設置されていた場合を想定すると、次のことがいえる。すなわち、現地で塩分濃度の高い海水を淡水化する際のコストと比較して、逆浸透膜６２を用いた淡水化処理を行う際の高圧ポンプＰ３などの動力コストが約１／３になる。したがって、現地の海水を浄化処理・淡水化処理する場合と比較して、処理コストが大幅に安くなる。
図３に示すように、総合水事業会社は、凝集磁気分離処理がなされたバラスト水を、船舶Ａを運用する海運会社から単位重量当たり所定金額money１で買い取る。
【００７７】
（２．船舶Ｂ：薬品添加式）
図３に示す船舶Ｂは、薬品添加式のバラスト水処理装置を備え、図１に示す船舶Ｂに対応している。前記したように、船舶Ｂで行われる薬品添加処理によって、微生物類などが死滅した状態になる。したがって、当該バラスト水に関して必要な処理は、薬品除去処理、濾過処理及び淡水化処理となる。
【００７８】
この場合も、バラスト水の塩分濃度によっては、現地の海水を浄化処理・淡水化処理するよりも処理コストが安くなる。したがって、総合水事業会社は、薬品添加処理がなされたバラスト水に関して、船舶Ｂを運用する海運会社から単位重量当たり所定金額money２で買い取る。
なお、船舶Ｂの場合は濾過処理が必要になるため、所定金額money２は、船舶Ａのバラスト水の買取金額money１よりも安く設定される。
【００７９】
（３．船舶Ｃ：バラスト水処理装置を搭載していない場合）
船舶Ｃは、塩分濃度が３％の原海水をバラスト水として積載している。したがって、さらに必要な処理は、濾過処理及び淡水処理となる。
図３に示すように、当該バラスト水に関して、総合水事業会社は、船舶Ｃを運用する海運会社から単位体積当たり所定金額money３でバラスト水の処理を受託する。
なお、バラスト水（塩分濃度：３％）に関しても、現地である中東アラビア湾付近の原海水（塩分濃度：約４．５％）よりも低コストで淡水化できる。したがって、海運事業会社は、塩分濃度の低いバラスト水の処理を受託して課金しつつ、低コストでバラスト水を処理できる。
【００８０】
（４．その他）
また、総合水事業会社は、石油プラント、発電プラントなどの各種工業設備からの排水の処理を、単位体積当たり所定金額money４で受託し、その水質に応じて薬品反応処理、濾過処理、凝集磁気分離処理、淡水化処理などを行って淡水を生成する。
また、総合水事業会社は、近隣海水を取水し、濾過処理及び淡水化処理を行うことで、淡水を生成する。
【００８１】
そして、総合水事業会社は、各種工業設備に対し、透過水タンク６３に貯留されている淡水を工業用水として供給し、その対価として単位重量当たり所定金額money５を受け取る。なお、総合水事業会社は、前記淡水を農業地域や都市にも供給する。
このように、総合水事業会社は、塩分濃度の比較的低いバラスト水を、その水質に応じて買い上げたり、処理を受託して課金したりする。したがって、需要者への販売価格money５を従来よりも安くしつつ、利益を上げることが可能となる。
【００８２】
図４は、バラスト水の処理項目及び処理金額を示す説明図である。
図４に示すように、単位重量当たりの処理金額が予め定められている。なお、薬品反応処理を行う際の単位重量当たりの処理金額は、バラスト水に含まれる薬品の種類（水質）に応じて変更又は追加される。また、淡水化処理を行う際の単位重量当たりの処理金額は、バラスト水の塩分濃度（水質）に応じて決定される。すなわち、バラスト水の塩分濃度が高いほど高圧ポンプＰ３で大きな電力量を必要とするため、その処理金額も高くなる。
【００８３】
そして、単位重量当たりの処理金額の合計と、処理対象となるバラスト水の重量とを掛け合わせた値が、合計処理金額となる。
管理装置１０の制御部１３（処理費用算出手段）は、船舶ごとにバラスト水の処理費用を算出し、前記合計処理金額（つまり、処理費用）を、ネットーワークＮを介して端末装置Ｕ１，Ｕ２，・・・に送信する。このような処理によって、総合水事業会社は、海運会社にバラスト水の処理費用を請求する（図３参照）。
【００８４】
このように当該適用例では、塩分濃度などの水質分析結果とバラスト水の量に応じて処理費用を算出する。したがって、水質分析から費用請求までの一連の処理が自動化されるため、作業員などの負担を軽減できる。
また、処理対象となるバラスト水の水質と、バラスト水の量とに応じて処理金額を算出する。したがって、一律に料金を設定する場合と比較して、柔軟かつ適切な価格を設定できる。
【００８５】
さらに、バラスト水の水質が比較的良ければ（例えば、塩分濃度が低く、浄化処理されている場合）、そのバラスト水を買い取って処理を行うため、水処理システム２００の需要を増やすことができる。
また、比較的低コストでバラスト水の浄化処理や淡水化処理を行いつつ、場合によっては処理の委託金が入るため（船舶Ｃ場合）、需要者に対して従来よりも低価格で淡水を提供できる。
【００８６】
≪変形例≫
以上、本発明に係る水処理システム１００，２００について各実施形態により説明したが、本発明の実施態様はこれらの記載に限定されるものではなく、種々の変更を行うことができる。
例えば、前記各実施形態では、バラスト水が船舶に積載される場合について説明したが、これに限らない。すなわち、例えば、船舶以外の移動体（タンクローリなど）にバラスト水が積載される場合にも適用できる。この場合、バラスト水取水配管の一端は、前記移動体に設けられたバラスト水流出口に接続される。
【００８７】
また、前記各実施形態では、水質分析装置２０においてバラスト水の水質分析を行う場合について説明したが、これに限らない。例えば、船舶内に水質分析装置を搭載している場合、管理装置１０は、ネットーワークＮを介して当該水質分析装置からの分析結果を受信し、その分析結果を用いて各処理を実行してもよい。
また、分析結果をオンラインでモニタに表示させ、当該分析結果に応じて作業員が切替手段を操作してもよい。
【００８８】
また、水質分析装置２０を用いずに人が水質分析を行い、その結果に応じてバラスト水の処理を行ってもよい。
また、「水質」は、実際に水質分析せずに、船舶を運営する船舶会社からの申告内容（塩分濃度、船舶に搭載されるバラスト水処理装置の種類、バラスト水を取水した地域など）に基づいて特定してもよい。
【００８９】
また、前記各実施形態では、水質分析装置２０が、処理対象となるバラスト水の状態（原海水か、処理の処理がなされているか）に応じて分析項目を変更する場合について説明したが、これに限定されない。すなわち、バラスト水の状態に関わらず、分析項目を統一してもよい。
また、前記各実施形態では、「切替手段」として二方弁を用いたが、これに限らない。例えば、「切替手段」として、三方弁や四方弁を用いてもよい。
【００９０】
また、前記各実施形態では、「濾過手段」が、砂濾過装置５１と、限外濾過装置５２とを備える場合について説明したが、これに限らない。すなわち、「濾過手段」として精密濾過装置など、他の濾過手段を備える構成としてもよい。
なお、精密濾過装置では、孔の大きさ（例えば、５０ｎｍ程度）が限外濾過膜よりも大きい精密濾過膜を用いて、クロスフロー濾過又はデッドエンド濾過を行うことで、微粒子を除去する。
また、バラスト水の水質に応じて、適用する濾過装置の種類（１つ又は複数種類）を変更してもよい。
【００９１】
また、前記各実施形態では、逆浸透膜６２が単段である場合について説明したが、これに限らない。すなわち、逆浸透膜６２を複数段設置してもよい。このように逆浸透膜６２を複数段備える場合、バラスト水の塩分濃度が高いほど逆浸透膜６２の段数を増やすようにすることが好ましい。これによって、塩分濃度に応じて適切に淡水化できる。
【００９２】
また、前記各実施形態において、取水タンク４１及びポンプＰ１を省略し、薬品反応槽３０からのバラスト水や、船舶Ｃからのバラスト水が直接的に砂濾過装置５１に流入するようにしてもよい。
また、前記各実施形態において、ＲＯ原水タンク６１の上流側に接続される配管ｄ６に保安フィルタ（孔径：約１μｍ）を設けてもよい。これによって、限外濾過装置５２又は凝集磁気分離装置９０から流入するバラスト水から、微粒子を確実に除去できる。
また、前記保安フィルタの直前で中和処理を行ってもよい。これによって、バラスト水が中和され、逆浸透膜６２の損傷（溶解）を確実に防止できる。
【００９３】
また、前記第２実施形態において、二方弁Ｖ４，Ｖ５の開閉に応じてバラスト水を沈殿槽８０に流入させるか、又は沈殿槽８０をバイパスさせる構成としていたが、これに限定されない。
すなわち、配管ａ６，ａ７、二方弁Ｖ４，Ｖ５を省略し、配管ａ４を通流するバラスト水が全て沈殿槽８０に流入するようにしてもよい。
【００９４】
また、前記各実施形態を適宜組み合わせることができる。例えば、第２実施形態で説明した切替手段を第１実施形態に適用し、バラスト水の水質に応じて配管経路を自動的に切り替える構成にしてもよい。また、第２実施形態で説明した沈殿槽８０を、第１実施形態の配管ａ３に介在するように設けてもよい。
また、本発明は、前記各実施形態で説明した配管経路に限定されない。すなわち、薬品反応槽３０、濾過手段５０、淡水化手段６０を構成する装置間の配管経路を適宜設け、バラスト水の水質に応じて配管経路を切り替える切替手段を設けてもよい。
【００９５】
また、前記各実施形態で説明した淡水化処理は、逆浸透膜６２を用いる場合に限らない。例えば、蒸発法によって淡水化処理を実行してもよい。ちなみに、蒸発法を行う場合、浄化処理（濾過処理又は凝集磁気分離処理）されたバラスト水を加熱し、これを減圧室に導いて蒸発させ、さらに水蒸気を凝縮させることで淡水化を行う。
【００９６】
また、前記適用例で説明したバラスト水の処理費用に反映させる分析項目を適宜変更又は追加してもよい。例えば、バラスト水の濁度、全容固形物、残留塩素、生物量などに基づいて、処理費用を算出してもよい。
また、例えば、工業設備から処理を請け負った工業排水を、バラスト水又は原海水などに混ぜることで所定値以下の塩分濃度とし、低塩分濃度の水を淡水化処理してもよい。これによって、高圧ポンプＰ３の動力負荷を軽減し、処理コストを削減できる。
【００９７】
また、例えば、第１実施形態の水処理システム１００では、取水タンク４１と、砂濾過装置５１と、限外濾過装置５２と、ＲＯ原水タンク６１と、が配管及びポンプを介して順次接続されている態様について説明したが、これに限らない。例えば、取水設備４０から高圧ポンプＰ３までを一本のバラスト配管（図示せず）で接続し、当該バラスト配管から分岐する流入配管（図示せず）を介してバラスト水などが取水タンク４１に流入するようにするとともに、取水タンク４１からのバラスト水などが流出配管（図示せず）を介して前記バラスト配管に流出するようにしてもよい。
【００９８】
この場合において、前記した流入配管及び流出配管には、バラスト水などの流入又は流出を許容／遮断する開閉弁（図示せず）と、バラスト水を圧送するポンプ（図示せず）と、を設けることが好ましい。
また、前記した取水配管４１の場合と同様に、薬品反応槽３０、砂濾過装置５１、限外濾過装置５２、ＲＯ原水タンク６１などを、それぞれバラスト配管から分岐するように接続してもよい。この場合、各分岐配管（流入配管及び流出配管）に設けられる開閉弁やポンプは、水質分析装置２０による水質分析結果に応じて駆動又は停止される。また、前記バラスト配管に、バラスト水などの圧送をアシストするポンプを設置してもよい。
また、このような態様を、第２実施形態の水処理システム２００に適用してもよい。
【符号の説明】
【００９９】
１００，２００  水処理システム
１０  管理装置
１１  記憶部
１２  制御部（処理費用算出手段）
２０  水質分析装置
３０  薬品反応槽（薬品反応手段、水処理手段）
４０  取水設備（海水取水手段）
５０  濾過手段（水処理手段）
６０  淡水化手段（水処理手段）
８０  沈殿槽（フロック分離手段、水処理手段）
９０  凝集磁気分離装置（水処理手段）
ａ１，ｂ１，ｃ１  バラスト水取水配管
ｄ１，ｄ１３  海水取水配管
Ｖ1，Ｖ２，Ｖ３，Ｖ４，Ｖ５，・・・  二方弁（切替手段）
【図１】
2014008469.tif 000003
【図２】
2014008469.tif 000004
【図３】
2014008469.tif 000005
【図４】
2014008469.tif 000006